(57)【特許請求の範囲】
【請求項１】
誘電体コアと、
前記誘電体コアに巻き付けられ、導電部を有するアンテナテープと、
シャーシから延在するプリント回路基板と、を備えるアンテナ組立体であって、
前記プリント回路基板と前記アンテナテープの導電部とが電気的に結合され、
前記誘電体コアは第１の部分と第２の部分とを有し、
前記第１の部分は前記アンテナテープを受け入れるように構成され、
前記第２の部分は前記シャーシ内に挿入されるように構成されるアンテナ組立体。
【請求項２】
前記誘電体コアは衝撃吸収材をさらに備え、
前記誘電体コアは前記シャーシ内まで延在するように構成される請求項１に記載のアンテナ組立体。
【請求項３】
前記第１の部分は円形又は楕円形の断面を有し、
前記第２の部分はＤ形の断面を有する請求項２に記載のアンテナ組立体。
【請求項４】
前記誘電体コアは、前記第２の部分に開口部を有し、
前記第２の部分は、前記シャーシに前記誘電体コアを固定するための固定具を受け入れる少なくとも１つの穴を有する請求項３に記載のアンテナ組立体。
【請求項５】
導電部材が、前記プリント回路基板と前記導電部とを電気的に結合する請求項１に記載のアンテナ組立体。
【請求項６】
前記導電部材は、前記プリント回路基板と前記導電部との両方にはんだ付けされるワイヤからなる請求項５に記載のアンテナ組立体。
【請求項７】
前記誘電体コアを覆うように配置されるアンテナカバーと、前記誘電体コアと前記アンテナカバーとの間に配置される衝撃吸収部材とをさらに備える請求項１に記載のアンテナ組立体。
【請求項８】
前記プリント回路基板は前記シャーシから延在するタブに取り付けられ、接地素子により、前記プリント回路基板と前記タブとの電気的接触を得てアンテナを接地する請求項１に記載のアンテナ組立体。
【請求項９】
前記接地素子はネジからなる請求項８に記載のアンテナ組立体。
【請求項１０】
前記導電部は、前記誘電体コアの周りに二重らせんを形成する第１の導電部材と第２の導電部材とを備える請求項１に記載のアンテナ組立体。
【請求項１１】
前記導電部は、前記誘電体コアの一端を覆うように配置される上部部材を備える請求項１に記載のアンテナ組立体。
【請求項１２】
サウンドカプセルと、
シャーシと、
前記シャーシに接続されたアンテナ組立体と、を備える無線マイク組立体であって、
前記アンテナ組立体は、
前記シャーシ内まで延在する誘電体コアと、
前記誘電体コアに巻き付けられ、導電部を有するアンテナテープと、
前記シャーシから延在するプリント回路基板とを備え、
前記プリント回路基板の少なくとも一部が前記シャーシ内に位置し、
前記プリント回路基板と前記アンテナテープの導電部とが電気的に結合され、
前記誘電体コアは第１の部分と第２の部分とを有し、
前記第１の部分は前記アンテナテープを受け入れるように構成され、
前記第２の部分は前記シャーシ内に挿入されるように構成される無線マイク組立体。
【請求項１３】
前記プリント回路基板は、前記シャーシから延在するタブに固定される請求項１２に記載の無線マイク組立体。
【請求項１４】
前記第１の部分は円形又は楕円形の断面を有し、
前記第２の部分はＤ形の断面を有する請求項１２に記載の無線マイク組立体。
【請求項１５】
前記誘電体コアは、前記第２の部分に開口部を有し、
前記第２の部分は、前記シャーシに前記誘電体コアを固定するための固定具を受け入れる少なくとも１つの穴を有する請求項１４に記載の無線マイク組立体。
【請求項１６】
導電部材が、前記プリント回路基板と前記導電部とを電気的に結合する請求項１２に記載の無線マイク組立体。
【請求項１７】
前記導電部材は、前記プリント回路基板と前記導電部との両方にはんだ付けされるワイヤからなる請求項１６に記載の無線マイク組立体。
【請求項１８】
前記誘電体コアを覆うように配置されるアンテナカバーと、前記誘電体コアと前記アンテナカバーとの間に配置される衝撃吸収部材とをさらに備える請求項１２に記載の無線マイク組立体。
【請求項１９】
前記プリント回路基板は前記シャーシから延在するタブに取り付けられ、接地素子により、前記プリント回路基板と前記タブとの電気的接触が得られる請求項１２に記載の無線マイク組立体。
【請求項２０】
前記接地素子はネジからなる請求項１９に記載の無線マイク組立体。
【請求項２１】
前記導電部は、前記誘電体コアの周りに二重らせんを形成する第１の導電部材と第２の導電部材とを備える請求項１２に記載の無線マイク組立体。
【請求項２２】
前記導電部は、前記誘電体コアの一端を覆うように配置される上部部材を備える請求項１２に記載の無線マイク組立体。
【請求項２３】
導電部を有するアンテナテープを誘電体コアの周りに巻き付け、
シャーシから離間した位置にて、プリント回路基板を前記シャーシに対して取り付け、
前記プリント回路基板と前記導電部とを電気的に結合し、
前記誘電体コアに第１の部分と第２の部分とを形成し、
前記第１の部分の周りに前記アンテナテープを巻き付け、
前記第２の部分を前記シャーシ内に挿入するアンテナ形成の方法。
【請求項２４】
さらに、前記誘電体コアを衝撃吸収材により形成し、前記誘電体コアを前記シャーシ内に配置することを特徴とする請求項２３に記載の方法。
【請求項２５】
さらに、固定具により前記誘電体コアを前記シャーシに固定することを特徴とする請求項２３に記載の方法。
【請求項２６】
さらに、前記プリント回路基板と前記導電部との両方に導電部材をはんだ付けし、前記プリント回路基板を接地素子により固定する請求項２３に記載の方法。
【請求項２７】
さらに、前記導電部に、前記誘電体コアの周りに二重らせんを形成する第１の部材と第２の部材とを形成する請求項２３に記載の方法。
【請求項２８】
さらに、前記導電部に、前記誘電体コアの一端を覆うように配置される上部部材を形成する請求項２３に記載の方法。
【発明の詳細な説明】
【技術分野】
【０００１】
本開示は、小型ブロードバンドアンテナの分野に関し、特に、ＵＨＦ帯域で送信を行う無線マイクに使用されるヘリカルアンテナに関する。
【背景技術】
【０００２】
無線マイク、コンピュータ、モバイル装置、その他の無線通信装置といった種々の無線用途の１つ以上において、組み立てが容易で小型かつ丈夫で安価なアンテナを設けることが望ましい。
【０００３】
本願では、米国特許第7,301,506号、Kenkel et al.（以下、Kenkel）を参照することにより援用するが、この文献はそのような一例を開示している。Kenkelは、非金属テープを使用し、この非金属テープの上に対角線上に金属テープ帯を配置することにより形成されるヘリカルアンテナ組立体を開示している。このテープは誘電体コアに巻き付けられる。電気コネクタと、誘電体コアの中央に位置する中央コンダクタが、金属テープ帯に接触する。テープ上の１又は２つのタブを誘電体コアの端部を覆うように屈曲することにより、テープ組立体が誘電体コアから外れるのを防止する。また、タブを留めるたに、中央コンダクタにアイレットが設けられる。テープ組立体の導電部のピッチ及び幅は、テープ組立体を誘電体コアの周りに巻き付けるときに所望の電気特性が得られるように変更することができる。
【発明の概要】
【０００４】
本開示は、一実施形態において、誘電体コアに巻き付けられ、導電部を有するアンテナテープを備えた誘電体コアと、シャーシから延在するプリント回路基板とを備えるアンテナ組立体を考える。プリント回路基板とテープの導電部とは電気的結合されることができる。
【０００５】
本開示は、他の実施形態において、サウンドカプセルと、シャーシと、このシャーシに接続されたアンテナ組立体とを備える無線マイク組立体を考える。アンテナ組立体は、シャーシ内まで延在する誘電体コアを備える。導電部を有するアンテナテープが、誘電体コアの周りに巻き付けられる。シャーシからプリント回路基板が延在し、プリント回路基板の少なくとも一部がシャーシ内に位置する。プリント回路基板とテープの導電部とは電気的に結合される。
【０００６】
本開示は、他の実施形態において、導電部を有するアンテナテープを誘電体コアの周りに巻き付け、シャーシから離間した位置にてプリント回路基板をシャーシに対して取り付け、プリント回路基板と導電部とを電気的結合するアンテナ形成方法を考える。
【０００７】
本発明の他の目的及び特徴については、以下の説明及び図面を参照することにより明らかになる。
【０００８】
例示により本開示を説明するが、本開示は添付図面に限られるものではない。
【図面の簡単な説明】
【０００９】
【図１】アンテナ組立体の一例を示す斜視側面図である。
【図２】アンテナカバーを追加した図１のアンテナ組立体を示す斜視側面図である。
【図３】誘電体コアとアンテナカバーを除いた図１のアンテナ組立体を示す斜視上面図である。
【図４】誘電体コアとアンテナカバーを除いた図１のアンテナ組立体を示す斜視側面図である。
【図５】誘電体コアの一例を示す斜視図である。
【図５Ａ】誘電体コアの他の例を示す斜視図である。
【図６】アンテナテープが巻き付けられた図５の誘電体コアを示す斜視図である。
【図７Ａ】アンテナテープ構成例を示す図である。
【図７Ｂ】アンテナテープ構成例を示す図である。
【図７Ｃ】アンテナテープ構成例を示す図である。
【図８Ａ】誘電体コアの周りに巻き付けられた図７Ａ〜７Ｃのアンテナテープ構成例を示す図である。
【図８Ｂ】誘電体コアの周りに巻き付けられた図７Ａ〜７Ｃのアンテナテープ構成例を示す図である。
【図８Ｃ】誘電体コアの周りに巻き付けられた図７Ａ〜７Ｃのアンテナテープ構成例を示す図である。
【発明を実施するための形態】
【００１０】
添付図面を参照して、本開示に係る種々の構成例を以下に説明するが、添付図面は本開示の一部であり、特許請求の範囲に記載される本発明の種々の構成を例示するものである。また、各部や各構成については、他の具体的な配置を用いることもでき、本開示の主旨を逸脱しない範囲で、構造的、機能的変形例が可能である。また、本明細書では、本開示の種々の特徴や構成要素の例を説明するために、「上部」、「下部」等の用語を用いるが、例えば、図中に示す方向や一般的な使用状況での方向に基づいて、説明の都合上、こうした用語を用いている。本明細書のいずれの部分においても、特許請求の範囲内に含まれるように各構造について特定の三次元的又は空間的方向付けを必要とするものではない。
【００１１】
図１及び図２は、一般に、アンテナラップ又はテープ１２０を有する誘電体コア１３０と、プリント回路基板（ＰＣＢ）１１０と、アンテナカバー１１４とを備えるアンテナ１００を示す。アンテナ１００は、ハンドヘルドマイクのシャーシ１０４に固定される。ハンドヘルドマイクは、無線送信のための無線送信器を備える。マイクは、一般に音声入力を受けるためのトランスデューサ素子又はサウンドカプセルを有する。トランスデューサ素子は、ダイナミック、コンデンサ、リボン、その他の既知のトランスデューサ素子であればよい。
【００１２】
結合ワイヤ１０６又はフレキシブルケーブル（図示せず）等の導電素子は、アンテナテープ１２０の導電部１２２をＰＣＢ１１０に電気的に結合することができ、また、これら２つの構成部品の間の歪み緩和を行う接続インターフェースとして作用する。接地素子としてネジ１１２を用いることができるが、この接地素子を用いて、ワイヤ１０６付近でＰＣＢ１１０をシャーシ１０４に接続し、適切な接地基準を得ることができる。
【００１３】
誘電体コア１３０は、ＰＣＢ１１０付近でシャーシ１０４に取り付けることができる。ＰＣＢ１１０は、シャーシ壁１０５を通り越して、ハンドヘルドマイクの開口部１４４内まで延在する。また、アンテナカバー１１４の内部領域と誘導体コア１３０の端部との間に、衝撃吸収発泡体の小片からなる衝撃吸収部材１４６を配置して、アンテナの取り扱いを誤った場合の落下衝撃時の衝撃エネルギーを吸収する衝撃吸収性能を付加することができる。一実施形態において、衝撃吸収部材１４６はポロンパッドにより形成することができる。また、結合ワイヤ１０６により、ＰＣＢ１１０とアンテナ１００と間の歪みが緩和される。特に、結合ワイヤ１０６は、落下衝撃時に切断されることなく自在に動けるように、長さを長めにしてワイヤにゆとりを持たせればよい。これにより、アンテナが落下したり、取り扱いを誤ったりした場合や、アンテナ１００がＰＣＢ１１０に対して相対的に移動した場合のアンテナ１００の衝撃吸収性能が高くなる。
【００１４】
アンテナ１００を適切にフィードするために、無線周波数（ＲＦ）信号は、適切にグラウンドを基準とする必要がある。シャーシ１０４とＰＣＢ１１０との間に接地ネジ１１２を設けて、接地基準として作用させることができる。
【００１５】
図３及び図４に示すように、シャーシ１０４には、シャーシ１０４から延在してＰＣＢ１１０を保持するためのＬ字型タブ又はフランジ１１６が設けられている。ＰＣＢ１１０は、シャーシ１０４から離間した位置で、接地ネジ１１２によりタブ１１６に固定される。これにより、ＰＣＢ１１０はマイクのシャーシ１０４のさらに外側に延在し、アンテナ１００とＰＣＢ１１０との距離を短くすることができ、アンテナ１００のＲＦ送信が良好になる。また、シャーシ１０４には、スリーブ１４８のネジ筋と噛み合うネジ筋１１８を設けることができる。スリーブ１４８は、無線マイクの外部ハンドル又はグリップとして機能するとともに、マイクを動作させるためのバッテリを覆う外部収納部としても機能することができる。１以上のネジ１４０がネジ穴１４２と位置合わせされ、シャーシ１０４上においてアンテナカバー１１４と誘電体コア１３０とを適切な位置に保持する。なお、アンテナカバー１１４をシャーシ１０４に固定する方法として、他の方法も考えられる。
【００１６】
図５及び図６は、誘電体コア１３０の一実施形態を示す。図５は、アンテナテープ１２０を巻き付ける前の誘電体コア１３０を示し、図６は、アンテナテープ１２０を巻き付けた後の誘電体コア１３０を示す。誘電体コア１３０は剛性がないので、落下応力を吸収して、アンテナ１００のＰＣＢ１１０や電気接触部の保護に役立つ。誘電体コア１３０を形成する好適な材料は熱可塑性ウレタン（ＴＰＵ）であり、アンテナ１００の落下衝撃時の衝撃エネルギーを良好に吸収する。
【００１７】
誘電体コア１３０は、第１の円筒部１３２と、第２の細長部１３４とを備えている。第１の円筒部１３２は、アンテナテープ１２０を受け入れるように構成され、第２の細長部１３４は、マイクのシャーシ１０４内に挿入されるように構成される。第１の円筒部１３２は、アンテナテープ１２０を受け入れる円形断面を有していればよい。第２の細長部１３４は、組み立て時に誘電体コア１３０がＰＣＢ１１０に干渉しないように、シャーシ１０４のＬ字型タブ１１６及びＰＣＢ１１０と連結する平坦面を有するＤ形の断面、あるいは、部分的曲面を有する形状であればよい。特に、Ｄ形状は、シャーシ１０４内の開口部１４４とタブ１１６とＰＣＢ１１０とにより形成されるシャーシ１０４内部形状に対応するので、シャーシ１０４内でタブ１１６とＰＣＢ１１０の周りに誘電体コア１３０を配置することができる。第２の細長部１３４を追加することにより、アンテナ１００に良好な衝撃吸収特性を与えることができる。また、第２の細長部１３４は、第２の細長部１３４の全長にわたって設けられ、かつ、第１の円筒部１３２まで延在する開口部１３３を有する。また、第２の細長部１３４には、１以上のネジ１４０を介して誘電体コア１３０とアンテナカバー１１４とをシャーシ１０４に固定するための２つの穴１３６が設けられている。第２の細長部１３４におけるノッチ１３８は、接地ネジ１１２の一端と誘電体コア１３０との間に隙間を形成する凹部となる。これにより、接地ネジ１１２は、誘電体コア１３０に接触せずにシャーシ１０４内のタブ１１６を完全に通り越して延在することができるので、ネジ１１２はＰＣＢ１１０に対する誘電体コア１３０の位置決めに影響を与えることがない。２つの穴１３６は、ネジ１４０と噛み合うのに好適な形状とすることができる。ネジ１４０はタッピングネジとすることができる（図３参照）。これにより、シャーシ１０４に対する機械的噛合接続部分が低コストで得られる。
【００１８】
なお、誘電体コア１３０を他の形状や構成に変更することもできる。例えば、図５Ａに示すように、他の所要の機械的特徴に対応するように第１の部分１３２Ａを楕円形に形成することもできる。
【００１９】
図７Ａ〜７Ｃは、アンテナ１００及び誘電体コア１３０とともに使用されるアンテナテープ１２０Ａ、１２０Ｂ、１２０Ｃを示す。図８Ａ〜８Ｃは、それぞれ、誘電体コア１３０の周りに巻き付けられ図７Ａ〜７Ｃのアンテナテープを示す。
【００２０】
図７Ａ〜７Ｃに示すように、アンテナテープ１２０Ａ、１２０Ｂ、１２０Ｃは、導電部１２２Ａ、１２２Ｂ、１２２Ｃと、基板部１２４Ａ、１２４Ｂ、１２４Ｃとを備えている。導電部１２２Ａ、１２２Ｂ、１２２Ｃは銅箔により形成することができ、基板部１２４Ａ、１２４Ｂ、１２４Ｃは、粘着性の裏張りを有するポリエステル材料により形成することができる。また、他の材料も考えられる。アンテナテープ１２０Ａ、１２０Ｂ、１２０Ｃは、既知の方法により導電部１２２Ａ、１２２Ｂ、１２２Ｃを基板部１２４Ａ、１２４Ｂ、１２４Ｃに取り付けることにより形成することができる。導電部１２２Ａ、１２２Ｂ、１２２Ｃの寸法、長さ、方向、形状等は、アンテナ性能を最適にするように構成されればよい。
【００２１】
図７Ａに示すように、導電部１２２Ａには、第１の水平部１２６Ａと、傾斜部１２８Ａと、第２のほぼ水平な上部１２９Ａとが形成され、適切な送信特性を得ることができる。
【００２２】
他の実施形態を図７Ｂに示す。本実施形態は、導電部１２２Ｂが、第１の水平部１２６Ｂと、傾斜部１２８Ｂと、第２のほぼ水平な上部１２９Ｂとを備える点については図７Ａの実施形態と同様である。しかし、導電部１２２Ｂには、第１の水平部１２６Ｂに対してほぼ直角に形成された垂直部１２５Ｂと、第２のほぼ水平な上部１２９Ｂから突出した位置で円形に形成された上部部材１２７Ｂとが設けられている。このようなアンテナテープの設計により、低周波数域の送信においてマイク性能を高めることができる。
【００２３】
図７Ａ及び図７Ｂに示す各実施形態では、径の大きい上部部材１２７Ｂを除いて、導電部１２２Ａ、１２２Ｂの幅を１インチ又は２．５４ｍｍとすることができる。なお、それ以外の寸法であっても、アンテナ１００の適切な性能が得られる。
【００２４】
図７Ｃに示す他の実施形態において、導電部１２２Ｃには、いずれもほぼ直線状に傾斜した第１の導電部材１２３Ｃと第２の導電部材１２５Ｃとを形成することができる。第１の導電部材１２３Ｃと第２の導電部材１２５Ｃは、アンテナテープ１２０Ｃの下部で交差することができる。また、導電部１２２Ｃには、第１の導電部材１２３Ｃと第２の導電部材１２５Ｃとの交差部付近に、アンテナテープ１２０Ｃに対してほぼ直角に形成された垂直部１２６Ｃが設けられている。アンテナテープ１２０Ｃを誘電体コア１３０に巻き付けるときに第１の導電部材１２３Ｃと第２の導電部材１２５Ｃとの接続部を形成するように、アンテナテープ１２０Ｃに対してほぼ直角に２つの垂直部１２７Ｃを形成することができる。また、他の実施形態では、第１の導電部材１２３Ｃと第２の導電部材１２５Ｃとの接続部を形成するように、これら２つの部材の上部付近に、図７Ｂに示す上部部材１２７Ｂと同様の丸形の上部部材（図示せず）を形成することもできる。
【００２５】
他の実施形態において、アンテナ１００は、１枚のフレキシブルＰＣＢ上に形成され、あるいは、ＰＣＢ１１０の一部として形成され、ＰＣＢ１１０をシャーシ１０４に組み付けた後に誘電体コア１３０に巻き付けられる。特に、アンテナテープ１２０の導電部１２２は特定の長さとピッチの線部にすぎないので、ＰＣＢ１１０の一部として製造することができる。本実施形態では、アンテナテープ１２０Ｃに粘着性の裏張りを付加して、アンテナテープを誘電体コア１３０に巻き付けることができるようにする。これにより、ＰＣＢ１１０及び導電部１２２にワイヤ１０６を接続する際のはんだ作業と、それにかかるコストがなくなるが、ＰＣＢ材料の利用にコストがかかることもある。
【００２６】
図８Ａは、誘電体コア１３０の第１の円筒部１３２に巻き付けられた図７Ａのアンテナテープ１２０Ａを示す。図８Ａに示すように、導電部１２２Ａは、誘電体コア１３０の周りを２回半周回して巻き付けられている。
【００２７】
図８Ｂは、誘電体コア１３０の第１の円筒部１３２に巻き付けられたアンテナテープ１２０Ｂを示す。図８Ｂに示すように、導電部１２２Ｂは、誘電体コア１３０の周りを２回半周回して巻き付けられている。さらに、垂直部１２５Ｂが誘電体コア１３０の下部を覆うように折れ曲がり、上部部材１２７Ｂが誘電体コア１３０の第１の円筒部１３２の上部を覆うように折れ曲がっている。
【００２８】
図８Ｃは、誘電体コア１３０の第１の円筒部１３２に巻き付けられたアンテナテープ１２０Ｃを示す。誘電体コア１３０の周りにアンテナテープ１２０Ｃを巻き付けるとき、第１及び第２の部材１２３Ｃ、１２５Ｃは誘電体コア１３０を取り囲む二重らせんを形成する。第１の導電部材１２３Ｃと第２の導電部材１２５Ｃは、それぞれ、誘電体コア１３０の周りを約２回周回して巻き付けられている。これにより、第１の導電部材１２３Ｃに対応して誘電体コア１３０に上向きに巻き付き、さらには、２つの上部垂直部１２７Ｃを介して誘電体コア１３０の上面を通るヘリカルアンテナと、そして、第２の導電部材１２５Ｃに対応して誘電体コア１３０に下向きに巻き付く第２のヘリカルとが形成される。
【００２９】
また、第１の方向に上向きヘリカル巻きを形成する第１の導電部材１２３Ｃと、反対方向に下向きヘリカル巻きを形成する第２の導電部材１２５Ｃは、いずれもＰＣＢ１１０からのＲＦフィードにて終わる。第１の導電部材１２３Ｃと第２の導電部材１２５Ｃは、いずれも、動作時にはＰＣＢ１１０のＲＦフィードに接続されることが可能である。これは、導電部材１２２ＣがＰＣＢ１１０のＲＦフィードに戻って終わることから、図７Ａ及び図７Ｂに示す実施形態とは異なる。あるいは、他の実施形態において、第２の導電部材１２５Ｃを、ＰＣＢ１１０のＲＦフィードに接続するのではなく、接地させることもできる。
【００３０】
アンテナを組み立てるには、誘電体コア１３０にアンテナテープ１２０を巻き付ける。次に、ネジ１１２により、ＰＣＢ１１０をシャーシ１０４のＬ字型タブ１１６に固定する。接地ネジ１１２を取り付けるとき、このネジが、塗料又は仕上げ剤がマスキングされているＬ字型タブ１１６の導電領域に対して、ＰＣＢ１１０の導電領域を押し付け、ＰＣＢ１１０とシャーシ１０４とのＲＦ接地を行うための電気接地接続部を形成している。ＰＣＢ１１０とシャーシ１０４との接触を高めるために、ネジ穴付近のはんだマスクを除去し、ペーストを付加することで、接触領域を大きくし、接地基準の一貫性を高めることができる。そして、ＰＣＢ１１０上の銅パッド又は銅メッキしたスルーホールにより、結合ワイヤ１０６又はフレキシブルケーブルをＰＣＢ１１０にはんだ付けすればよい。そして、ワイヤ１０６又はフレキシブルケーブルをアンテナテープ１２０の導電部１２２にはんだ付けすればよい。次に、誘電体コア１３０をシャーシ１０４内に挿入し、アンテナカバー１１４を誘電体コア１３０に被せる。誘電体コア１３０とアンテナカバー１１４は、いずれも、アンテナカバー１１４を通って、誘電体コア１３０の第２の細長部１３４の穴１３６内に挿入されるタッピングネジ１４０によって、シャーシ１０４に固定される。
【００３１】
他の実施形態において、ＰＣＢ１１０から延在するリジッドフレックス基板を用いることもでき、このリジッドフレックス基板の端部を銅メッキすることもできる。そして、このメッキ済みリジッドフレックス基板をアンテナの導電部に直接はんだ付けすれば、結合ワイヤ１０６の必要がなくなり、結合ワイヤ１０６又はフレキシブルケーブルをアンテナ１００及びＰＣＢ１１０にはんだ付けする必要がなくなる。
【００３２】
本開示のアンテナの各実施形態は、小型マイクシャーシに取り付ける際に導電体の長さを変更することでチューニングを行い、４７０〜９５０ＭＨｚにわたって１３％の比帯域幅を達成することができる。また、本開示の各実施形態は、将来的にいかなるハンドヘルド無線装置においても実施できる。このような装置として、金属シャーシとアンテナカバーを用い、同様の周波数帯域で動作する装置が考えられるが、これらに限定されるものではない。
【００３３】
本明細書の読み手は、これらの各例は本発明を例示するための記載にすぎず、本発明を限定するものではないことを理解すべきである。本発明から逸脱しない範囲で、上述の具体的な構造について多数の変更を行うことができる。
【００３４】
本発明について、現段階で好ましい実施形態を含む具体例を用いて詳細に説明したが、当該分野の技術者は、上述のシステム及び方法について多数の変更や置換を行えることがわかるであろう。したがって、本発明の精神と主旨は、添付の特許請求の範囲に記載されるように広く解釈されるべきである。
【図１】
0005965917.tif 000002
【図２】
0005965917.tif 000003
【図３】
0005965917.tif 000004
【図４】
0005965917.tif 000005
【図５】
0005965917.tif 000006
【図５Ａ】
0005965917.tif 000007
【図６】
0005965917.tif 000008
【図７Ａ】
0005965917.tif 000009
【図７Ｂ】
0005965917.tif 000010
【図７Ｃ】
0005965917.tif 000011
【図８Ａ】
0005965917.tif 000012
【図８Ｂ】
0005965917.tif 000013
【図８Ｃ】
0005965917.tif 000014